(57)【要約】【課題】巾木自体の取付位置が若干上下にずれても常に隙間塞ぎ板が足場板と線接触していて隙間を塞いでおり、しかも隙間塞ぎ板が若干変形しても隙間の発生を少なくできる巾木付きの足場装置を提供すること。【解決手段】足場板１の両側に垂直に起立する巾木本体２と巾木本体に結合した隙間塞ぎ板３０とからなる巾木４０を配設して足場板１の両側の隙間Ｓを塞いでいる足場装置において、隙間塞ぎ板３０を巾木本体２に結合した垂直片３０ａと、この垂直片の下部に一体または回転自在に連結した水平片３０ｂとで構成し、上記垂直片３０ａを足場板１の下面位置より下方に向けて垂直に延ばし、水平片３０ｂを足場板１の下方に水平方向に向けて延ばして配置させた。  【選択図】図１
2010013932.tif 000002
【特許請求の範囲】
【請求項１】
足場板の両側に垂直に起立する巾木本体と巾木本体に結合した隙間塞ぎ板とからなる巾木を配設して足場板の両側の隙間を塞いでいる足場装置において、隙間塞ぎ板を巾木本体に結合した垂直片と、この垂直片の下部に一体または回転自在に連結した水平片とで構成し、上記垂直片を足場板の下面位置より下方に向けて垂直に延ばし、水平片を足場板の下方に水平方向に向けて延ばして配置させたことを特徴とする足場装置。  
【請求項２】
左右一対の建材と、各建材間に架設した横架材とで建枠を構成し、上記建枠を前後一対起立し、各建枠の横架材間に足場板を架設し、上記足場板の両側に配置した手摺の前後端を上記建枠の各建材と各横架材に着脱自在に取り付け、更に、足場板の両側に垂直に起立する巾木本体と巾木本体に横方向に向けて結合した隙間塞ぎ板とからなる巾木を配設して足場板の両側の隙間を塞いでいる足場装置に於て、隙間塞ぎ板を巾木本体に結合した垂直片と、この垂直片の下部に一体または回転自在に連結した水平片とで構成し、上記垂直片を足場板の下面位置より下方に向けて垂直に延ばし、水平片を足場板の下方に水平方向に向けて延ばして配置させたことを特徴とする足場装置。  
【発明の詳細な説明】
【技術分野】
【０００１】
本発明は、建築現場、土木工事場で使用され、足場板の両側に形成されている隙間を塞ぐ巾木を備えた枠組足場等の足場装置に関する。
【背景技術】
【０００２】
一般に建築現場、土木工事現場で使用される枠組足場等の足場装置は建枠と横架材とからなる枠体を多数平行に起立し、この枠体間に足場板を架設している。この場合建枠と足場板の両側には隙間が長手方向に形成され、この隙間から工具等の物体が落下するおそれがある。そこでこの隙間を塞ぐため足場板の両側に長手方向に沿っていわゆるつま先板たる巾木を配接した足場装置が例えば特許文献１に開示され、実際に使用もされている。この巾木は垂直に起立する巾木本体と巾木本体の下部に水平方向に向けて結合した隙間塞ぎ板とで構成され、巾木本体はクランプ、ブラケット、継手等を介して建枠に結合し、隙間塞ぎ板は足場板の上面に重ねて配置して使用されている。
【先行技術文献】
【特許文献】
【０００３】
【特許文献１】特開平８−１００５２１号公報（図面参照）
【発明の概要】
【発明が解決しようとする課題】
【０００４】
上記巾木は普通に使用されている場合には機能上特に欠陥は無いが次のような不具合の改善が望まれている。第１に巾木本体を建枠側にクランプ等を介して結合する際に隙間塞ぎ板が足場板の上面にぴったりと当接する状態に位置合せするのが困難であり、多少上下にずれると隙間塞ぎ板と足場板との間に隙間が発生したり、隙間塞ぎ板が斜めになってしまうおそれがある。第２に長年巾木を使用している場合、何らかの原因で隙間塞ぎ板が波うったり、ゆがんで変形する場合があり、この変形個所に隙間が発生してしまうおそれがある。  
そこで、本発明の目的は巾木自体の取付位置が若干上下にずれても常に隙間塞ぎ板が足場板と線接触していて隙間を塞いでおり、しかも隙間塞ぎ板が若干変形しても隙間の発生を少なくできる巾木付きの足場装置を提供することである。
【課題を解決するための手段】
【０００５】
上記の目的を達成するため、本発明の一つの手段は、足場板の両側に垂直に起立する巾木本体と巾木本体に結合した隙間塞ぎ板とからなる巾木を配設して足場板の両側の隙間を塞いでいる足場装置において、隙間塞ぎ板を巾木本体に結合した垂直片と、この垂直片の下部に一体または回転自在に連結した水平片とで構成し、上記垂直片を足場板の下面位置より下方に向けて垂直に延ばし、水平片を足場板の下方に水平方向に向けて延ばして配置させたことを特徴とするものである、
同じく、より具体的な手段は、左右一対の建材と、各建材間に架設した横架材とで建枠を構成し、上記建枠を前後一対起立し、各建枠の横架材間に足場板を架設し、上記足場板の両側に配置した手摺の前後端を上記建枠の各建材と各横架材に着脱自在に取り付け、更に、足場板の両側に垂直に起立する巾木本体と巾木本体に横方向に向けて結合した隙間塞ぎ板とからなる巾木を配設して足場板の両側の隙間を塞いでいる足場装置において、隙間塞ぎ板を巾木本体に結合した垂直片と、この垂直片の下部に一体または回転自在に連結した水平片とで構成し、上記垂直片を足場板の下面位置より下方に向けて垂直に延ばし、水平片を足場板の下方に水平方向に向けて延ばして配置させたことを特徴とするものである。
【発明の効果】
【０００６】
本発明によれば次の効果がある。
【０００７】
請求項１の発明によれば、隙間塞ぎ板が足場板の下方に延びているので、塞ぎ板そのものの変形が防止できると共に、足場板の側部の隙間から落下した工具等の物体はこの隙間塞ぎ板で収容され、地上に落下するのが防止される。
【０００８】
請求項２の発明によれば、巾木が手摺に結合しているので巾木を手摺と一緒に移動できる。
【図面の簡単な説明】
【０００９】
【図１】本発明の一実施の形態に係わる足場装置の略示正図面である。
【図２】他の実施の形態に係わる足場装置の略示正図面である。
【図３】他の実施の形態に係わる足場装置略示正図面である。
【図４】図３の足場装置の正面図である。
【発明を実施するための形態】
【００１０】
以下本発明の実施の形態を図にもとづいて説明する。
【００１１】
本発明の足場装置は図１乃至図４に示すように二つ基本パターンがあり、第１、第２のパターンは図１、図２に示され、これらはそれぞれ巾木本体に結合した隙間塞ぎ板を足場板の下面位置より下方に延ばした垂直片と足場板の下方に水平に延ばした水平片とで構成したものである。
【００１２】
そして図１の第１のパターンは水平片を垂直片に回転自在に結合したものであり、図２の第２のパターンは水平片を垂直片に一体に結合したものである。
【００１３】
以下更に詳しく述べる。図１、図２の第１、第２のパターンに係わる足場装置は、足場板１の両側に垂直に起立する巾木本体２と巾木本体２に結合した隙間塞ぎ板３０とからなる巾木４０を配設して足場板１の両側の隙間を塞いでいるものである。
【００１４】
そして、隙間塞ぎ板３０を巾木本体２に結合した垂直片３０ａとこの垂直片３０ａの下部に一体又は回転自在に連結した水平片３０ｂとで構成し、上記垂直片３０ａを足場板１の下面位置より下方に向けて垂直に延ばし、水平片３０ｂを足場板１の下方に水平方向に向けて延ばして配置させているものである。図１に示すように、垂直片３０ａと水平片３０ｂは例えばヒンジ５を介して回転自在に結合されている。
【００１５】
又図２に示すように隙間塞ぎ板３０は巾木本体２にピン６を介して又は溶接等で固定されている。
【００１６】
上記の巾木は例えば、図３、図４に示す枠組足場に取付けられる。
【００１７】
この枠組足場は、左右一対の建材６、６と、各建材６、６間に架設した横架材８とで建枠を構成し、上記建枠を前後一対起立し、各建枠の横架材８間に足場板１を架設し、上記足場板１の両側に配置した手摺の前後端を上記建枠の各建材６、６と各横架材８、８に着脱自在に取り付けるものである。
【００１８】
そして、足場板１の両側に垂直に起立する巾木本体２と巾木本体２に横方向に向けて結合した隙間塞ぎ板３０とからなる巾木４０を配設して足場板１の両側の隙間を塞いでいる。
【００１９】
即ち、図３、図４は巾木４を手摺に取付けた実施の形態を示す。図３、図４の実施の形態は枠組足場に上下スライド自在に取付けるいわゆる先行手摺２６に巾木４０を取付けたものである。この場合巾木４０は図１又は図２に示すものが使用されている。
【００２０】
手摺２６は支柱を縦横に組付けた手摺枠２０と手摺枠２７の前後両側に設けたフック２８とクランプ２９とを備え、手摺枠２７はフック２８を介して枠組足場７の横架材８に引掛けられ、建材６にクランプ２９を介して結合している。手摺枠２６の側部たる足場板側には巾木４０における巾木本体２をピン３２を介して結合し、隙間塞ぎ板３０を足場板１の下方まで延ばしている。
【００２１】
手摺２６にはピン３２を介して巾木４が結合されているから手摺２６と一緒に上方に移動できるようになっている。
【符号の説明】
【００２２】
１ 足場板
２ 巾木本体
３ 隙間塞ぎ板
４ 巾木
６ 建材
８  横架材
３０ 隙間塞ぎ板
３０ａ垂直片
３０ｂ水平片
Ｓ 隙間
【図１】
2010013932.tif 000003
【図２】
2010013932.tif 000004
【図３】
2010013932.tif 000005
【図４】
2010013932.tif 000006